(57)【要約】      （修正有）【課題】車椅子使用者の防寒保温ができ、使用上便利な椅子用保温衣服を提供する。【解決手段】結合及び開放用の部品で結合される足部保温袋と保温ベスト及び帽子を包含し、該足部保温袋は、上端に足部を挿入するための開口がある。前方に、使用者の出入り時に開放される開閉自在な前布カバーがあり、背面下部近くに、結合及び開放用の部品を具えた第２開口を設け、車椅子のフットレストが該第２開口より挿入された後、該第２開口が閉じられる。また足部保温袋の底布及び両外側辺布には、固定用帯を設け、それぞれ車椅子のフレームに固定する。さらに足部保温袋の上部両側には、掛け帯を設け、車椅子の両側のグリップに掛けられ、位置決めされる。該保温ベストは、その上部に首孔を設け、首孔部分に結合及び開放用の部品を設け、帽子が結合される。【選択図】図１
0003184295.tif 000002
【実用新案登録請求の範囲】
【請求項１】
車椅子用保温衣服において、
足部保温袋であって、該足部保温袋は車椅子前側下部に結合され、該足部保温袋の上端に、車椅子使用者の足部を通すための開口があり、該足部保温袋の前方に、開閉自在な前布カバーがあり、該前布カバーの一側及び下端と、足部保温袋の対向側及び下端に、結合及び開放用の部品が設けられ、該前布カバーが開放可能とされて、車椅子使用者が車椅子を出入りでき、並びに車椅子使用者の足部を完全に被覆し、これにより防寒保温機能を達成し、該足部保温袋の背面の下部近くに、結合及び開放用の部品を具えた第２開口が設けられ、該第２開口が閉じられるか開けられて、車椅子のフットレストが該第２開口より挿入された後、さらに該第２開口が閉じられ、該前布カバーの上端に結合及び開放用の部品が設けられた、上記足部保温袋と、
保温ベストであって、その上部に車椅子使用者の頭部を通すための首孔が設けられ、該首孔の上端に、結合及び開放用の部品が設けられ、該保温ベストの前側下部に結合及び開放用の部品が設けられ、該足部保温袋の前布カバー上縁に設けられた結合及び開放用の部品と相互に結合されることで、該保温ベストと該足部保温袋が結合され一体に接続され、該保温ベストの両側に車椅子使用者の両腕を被覆し保温する拡大部が設けられた、上記保温ベストと、
帽子であって、底端に、結合及び開放用の部品が設けられて、該保温ベストの該首孔上端に設けられた結合及び開放用の部品と結合可能である、上記帽子と、
を包含したことを特徴とする、車椅子用保温衣服。
【請求項２】
請求項１記載の車椅子用保温衣服において、該保温ベストの内面に、一組のハンドポケットが設けられて、両手を入れて保温できることを特徴とする、車椅子用保温衣服。
【請求項３】
請求項１記載の車椅子用保温衣服において、該足部保温袋の底布内両側及び両外側辺布のいずれにも、固定用帯が設けられて、それぞれ車椅子のフレームに固定できることを特徴とする、車椅子用保温衣服。
【請求項４】
請求項１記載の車椅子用保温衣服において、該足部保温袋の上部両側に車椅子用の両側のグリップに掛けられる掛け帯が設けられたことを特徴とする、車椅子用保温衣服。
【請求項５】
請求項１記載の車椅子用保温衣服において、結合及び開放用の部品がスライドファスナー、面ファスナー、或いは留め具とされたことを特徴とする、車椅子用保温衣服。
【請求項６】
請求項１記載の車椅子用保温衣服において、該足部保温袋の内面下方に、一組の、結束用帯を具えた嵌め口が設けられて、該嵌め口より車椅子のフットレストが通されて該嵌め口が結束用帯により結束されることを特徴とする、車椅子用保温衣服。
【考案の詳細な説明】
【技術分野】
【０００１】
本考案は一種の車椅子用保温衣服であって、特に車椅子に組み合わせて使用されて、車椅子使用者の保温に供され、並びに使用に便利である車椅子用保温衣服に関する。
【背景技術】
【０００２】
車椅子は、下肢に障害がある人、老人、虚弱者及び重大な疾病で行動が不自由であるか怪我を負った患者の使用のために設計され、現在、各種の異なる機能を有する車椅子が相当に多くあるものの、却って車椅子使用者の防寒と保温の問題については疎かにされており、老人、虚弱者、及び重大な疾病の患者にとって、低温或いは寒冷な気候で車椅子を使用する時、いかに防寒、保温するかは相当に重要である。ただし、現在、車椅子使用者の防寒保温に適合する製品はなく、ゆえに、ほとんどの場合、車椅子使用者に厚着をさせたり、或いは毛布や布団を被せたりしており、このため車椅子使用者に快適でない思いや行動の不便を感じさせ、また、機敏に車椅子操作を行えなくなるため、改善が待たれている。
【考案の概要】
【考案が解決しようとする課題】
【０００３】
本考案の主要な目的は、下方の足部保温袋と上方の保温ベストが車椅子上において結合され、車椅子使用者の防寒保温と使用上の便利性を達成する車椅子用保温衣服を提供することにある。
【０００４】
本考案の次の目的は、前布カバーの一側及び下端と足部保温袋の対応側及び下縁に、結合及び開放用の部品が設けられ、前布カバーが開放されて、車椅子使用者が車椅子の出入りを行えるようにすることにある。
【０００５】
本考案のさらにもう一つの目的は、足部保温袋の下部に車椅子のフットレストを挿入し、ダブルスライドファスナーを閉じてフットレストを被覆し、完全な保温機能を達成できるようにすることにある。
【課題を解決するための手段】
【０００６】
本考案は下方の足部保温袋と上方の保温ベストを包含する。該足部保温袋は、上端に車椅子使用者の足部を挿入するための開口があり、足部保温袋の前方に、開閉自在な前布カバーがあり、該前布カバーの一側及び下端と、足部保温袋の対向側及び下端に、結合及び開放用の部品が設けられ、前布カバーが開放可能とされて、車椅子使用者が車椅子に座る或いは離れることができ、並びに車椅子使用者の足部を完全に被覆し、これにより防寒保温の目的を達成する。足部保温袋の背面の下部近くに、結合及び開放用の部品を具えた第２開口が設けられ、該第２開口が閉じられるか開けられて、車椅子のフットレストが該第２開口より挿入された後、さらに該第２開口が閉じられる。並びに足部保温袋の底布及び両外側辺布には、いずれも固定用帯が設けられ、それぞれ車椅子のフレームに固定される。並びに足部保温袋の上部両側に、それぞれ掛け帯が設けられ、車椅子の両側のグリップに掛けられ、これにより、足部保温袋と車椅子が結合され位置決めされる。そのうち、該保温ベストは、その上部に首孔が設けられ、首孔部分に、結合及び開放用の部品が設けられて帽子を結合可能で、保温ベストの前側下部と足部保温袋の前布カバー上縁の間にも、結合及び開放用の部品が設けられて、それが相互に結合された後に、保温ベストと足部保温袋が結合され一体に接続される。並びに保温ベストの両側の拡大部は両側を被覆可能で、本考案の保温の効果をアップさせ、また、保温ベストの内面に、一組のハンドポケットが設けられて、両手を入れて保温でき、車椅子使用者の防寒保温を達成し、並びに使用に便利な車椅子用保温衣服の目的を達成する。
【考案の効果】
【０００７】
総合すると、本考案は車椅子使用者の防寒保温に供されて、使用に便利な車椅子用保温衣服である。
【図面の簡単な説明】
【０００８】
【図１】本考案の好ましい実施例の立体分解図である。
【図２】本考案の車椅子のフレームとの結合後の立体外観図である。
【図３】本考案の足部保温袋の前布カバーが開かれた時の実施例立体外観図である。
【図４】本考案の足部保温袋の第２開口よりフットレストを挿入し並びに結合及び開放用の部品で第２開口を閉じる実施例図である。
【図５】本考案の足部保温袋の第２開口よりフットレストを挿入し並びに結合及び開放用の部品で第２開口を閉じる実施例図である。
【図６】本考案の足部保温袋の両側の固定用帯を車椅子フレームに嵌合した実施例図である。
【図７】本考案の足部保温袋内面下部の、結束用帯を具えた嵌め口に車椅子のフットレストを通して固定する別の実施例図である。
【考案を実施するための形態】
【０００９】
図１及び図２に示されるように、本考案は一種の車椅子用保温衣服に係り、それは、下方の足部保温袋（１）と上方の保温ベスト（２）を包含する。
【００１０】
該足部保温袋（１）の上端には、車椅子（４）使用者の足部を通すための開口（１７）が設けられ、該足部保温袋（１）の前部に、開閉可能な前布カバー（１１）が設けられ、該前布カバー（１１）の一側及び下端と足部保温袋（１）の対向側及び下端に、結合及び開放用の部品（１２）が設けられ、前布カバー（１１）が開放されて、使用者が車椅子（４）を出入りできるものとされる。並びに車椅子（４）に座った使用者の足部を完全に被覆でき、これにより、防寒保温の目的を達成する。
【００１１】
足部保温袋（１）の背面の下部に、結合及び開放用の部品（１４１）を具えた第２開口（１４）が設けられ、該第２開口（１４）が閉じられる或いは開放され、車椅子（４）のフットレスト（４２）が該第２開口（１４）より挿入された後に、さらに第２開口（１４）が閉じられる。
【００１２】
該足部保温袋（１）の底布（１３）内両側及び両外側辺布に、それぞれ固定用帯（１５）（１６）が設けられ、それぞれ車椅子（４）のフレーム（４１）に嵌合され、並びに足部保温袋（１）の上部両側に、それぞれ掛け帯（１８）が設けられて、該掛け帯（１８）が車椅子（４）の両グリップ（４３）に掛けられ、これにより、足部保温袋（１）が車椅子（４）に結合、位置決めされる（図３、図４、図５及び図６に示されるとおり）。
【００１３】
保温ベスト（２）は、その上方に、首孔（２１）が設けられ、該首孔（２１）部分に、帽子（３）を結合可能で、首孔（２１）の上端と帽子（３）の底端に、結合及び開放用の部品（２２）が設けられて、帽子（３）が結合可能とされる。
【００１４】
保温ベスト（２）の前側下部と足部保温袋（１）の前布カバー（１１）の上端間にも、結合及び開放用の部品（１３１）が設けられ、その相互結合により、保温ベスト（２）と足部保温袋（１）が結合され一体とされる。
【００１５】
並びに保温ベスト（２）の両側の拡大部（２３）により使用者の両側が被覆され、本考案の保温の効果がアップされ、また、保温ベスト（２）の内面に、一組のハンドポケット（２４）が設けられて、両手を入れて保温できる。
【００１６】
そのうち、結合及び開放用の部品（１２）、（１３１）、（１４１）、（２２）はスライドファスナー、面ファスナー、或いは留め具とされ得る。
【００１７】
且つ、本考案は、足部保温袋（１）の内面下部に、一組の結束用帯（１９１）を具えた嵌め口（１９）が設けられて、車椅子（４）のフットレスト（４２）が嵌め口（１９）より挿入された後に、結束用帯（１９１）で嵌め口（１９）が結束されてもよい（図７のとおり）。
【符号の説明】
【００１８】
（１）足部保温袋
（１１）前布カバー
（１２）（１３１）（１４１）（２２）結合及び開放用の部品
（１３）底布
（１４）第２開口
（１５）（１６）固定用帯
（１７）開口
（１８）掛け帯
（１９）嵌め口
（１９１）結束用帯
（２）保温ベスト
（２１）首孔
（２３）拡大部
（２４）ハンドポケット
（３）帽子
（４）車椅子
（４１）フレーム
（４２）フットレスト
（４３）グリップ
【図１】
0003184295.tif 000003
【図２】
0003184295.tif 000004
【図３】
0003184295.tif 000005
【図４】
0003184295.tif 000006
【図５】
0003184295.tif 000007
【図６】
0003184295.tif 000008
【図７】
0003184295.tif 000009